(57)【要約】  弾性材料からなるベースシートと；生理活性物質を含有し、かつ、マイクロニードルを備え、前記ベースシート上に設けられたリザーバ層と；前記リザーバ層上にメッシュ状に形成される接着層と；前記リザーバ層が形成されている面と反対側の前記ベースシートの面上に形成された接着補助層と；を備えるシート状小片を提供する。また、このシート状小片を含む発毛促進用シート、及び美白及び皺改善剤を提供する。この結果、使用することによって、薄くなってしまった頭髪の状態を薄くなる前の状態に回復させることができる発毛促進用シート、美白効果及び皺改善効果を奏する美白及び皺改善剤、並びに、これらに使用するシート状小片を提供することができる。
2016175164.tif 000002
【特許請求の範囲】
【請求項１】
弾性材料からなるベースシートと；
生理活性物質を含有し、かつ、前記ベースシート側とは反対方向に延びる複数のマイクロニードルが形成され、前記ベースシートの一方側の表面上に設けられたリザーバ層と；
前記リザーバ層の前記ベースシート側とは反対側の表面上にメッシュ状に形成される接着層と；
前記リザーバ層が形成されている面と反対側の前記ベースシートの面上に剥離可能に形成された接着補助層と；を備え、
前記マイクロニードルの先端部は、前記接着層から突出している、
ことを特徴とするシート状小片。
【請求項２】
前記弾性材料は、透湿性を有する厚み０．１ｍｍ未満の半透明合成樹脂で構成されている、ことを特徴とする請求項１に記載のシート状小片。
【請求項３】
前記リザーバ層は、水溶性高分子と単糖類又は二糖類との混合物、及び、前記生理活性物質の混合物を含むことを特徴とする、請求項１に記載のシート状小片。
【請求項４】
前記水溶性高分子は、コラーゲン、ゼラチン、ヒアルロン酸、デキストリン、デキストラン、プロテオグリカン、コンドロイチン硫酸ナトリウム、カルボキシメチルセルロース、ヒドロキシエチルセルロースヒアルロン酸、及びそれらの生理学的に許容される塩からなる群から選ばれる少なくともいずれかである、ことを特徴とする請求項３に記載のシート状小片。
【請求項５】
前記単糖類又は二糖類は、グルコース、フルクトース、スクロース、ラクトース、トレハロース及びこれらの２以上の混合物からなる群から選ばれるいずれかである、ことを特徴とする請求項３に記載のシート状小片。
【請求項６】
前記生理活性物質は、歯髄幹細胞の培養上清中に含まれるものである、ことを特徴とする請求項３に記載のシート状小片。
【請求項７】
前記歯髄幹細胞の培養上清は凍結乾燥粉末である、ことを特徴とする請求項６に記載のシート状小片。
【請求項８】
前記歯髄幹細胞は、（ｉ）ｂｍｉ−１、ＨＰＶ−Ｅ６及びＨＰＶ−Ｅ７からなる群から選ばれる少なくとも１種以上の遺伝子と、（ii）ｈＴＥＲＴ又はｐＴＥＲＴのいずれかの遺伝子との組み合わせを導入した不死化細胞である、ことを特徴とする請求項６に記載のシート状小片。
【請求項９】
前記歯髄幹細胞は、ヒト又はブタ由来である、ことを特徴とする請求項６に記載のシート状小片。
【請求項１０】
前記接着層は、医療用シリコン系接着剤で形成されている、ことを特徴とする請求項１に記載のシート状小片。
【請求項１１】
前記接着補助層は、スポンジ状部材で構成されている、ことを特徴とする請求項１に記載のシート状小片。
【請求項１２】
前記スポンジ状部材は、ウレタン、シリコン、パルプ紙、スチロール、ビニール、及び布からなる群から選ばれる素材で構成されている、ことを特徴とする請求項１１に記載のシート状小片。
【請求項１３】
前記リザーバ層が形成されている面と反対側の前記接着層の面上に剥離可能に配置され、枠型形状を有する保持部材をさらに備え、
前記保持部材は、前記接着層から突出しているマイクロニードルの先端部の高さよりも長い厚みを有する、ことを特徴とする請求項１に記載のシート状小片。
【請求項１４】
前記保持部材は、プラスチック製又は金属製シート状部材である、ことを特徴とする請求項１３に記載のシート状小片。
【請求項１５】
前記金属製シート状部材は、アルミ製である、ことを特徴とする請求項１４に記載のシート状小片。
【請求項１６】
発毛促進用シートにおいて、
請求項１〜１５のいずれかに記載のシート状小片を備える、
ことを特徴とする発毛促進用シート。
【請求項１７】
前記シート状小片が備えるベースシートに所定の密度で植え込まれた人工毛髪を更に備える、ことを特徴とする請求項１６に記載の発毛促進用シート。
【請求項１８】
前記人工毛髪は、紫外線硬化性の樹脂により、前記ベースシートに固定されている、ことを特徴とする請求項１７に記載の発毛促進用シート。
【請求項１９】
前記ベースシートの底面積が、指頭の表面積と同等の面積となっている、ことを特徴とする請求項１７に記載の発毛促進用シート。
【請求項２０】
請求項７に記載のシート状小片を含む美白及び皺改善剤であって、
前記シート状小片が備えるリザーバ層が、凍結乾燥培養上清を有する、美白及び皺改善剤。
【発明の詳細な説明】
【技術分野】
【０００１】
本発明は、シート状小片、その小片を含む発毛促進用シート、並びに、美白及び皺改善剤に関する。より詳細には、所定の生理活性物質を局所的に吸収させ、前記生理活性物質の作用を発揮させるためのシート状小片、及びその小片を含む発毛促進用シート、並びに、美白及び皺改善剤に関する。
【背景技術】
【０００２】
加齢や疾病等に起因して、白髪が増える、頭髪が細くなる、頭髪が抜けて全体に本数が減るといったことが起こる。さらに、円形脱毛症をはじめとする種々の疾病により、毛髪が部分的に失われることもある。また、頭髪のみならず、シミや皺といった肌の老化が進むことはよく知られている。こうした肌の老化は、加齢のみならず、日焼け等他の要因によっても、生じることがある。【０００３】
とりわけ、毛髪が抜けた後に、太い毛が生えて来ない場合には、毛髪が失われたり細くなったりしてその部分の地肌が見えるようになる。特に、毛髪の色が濃い場合には、髪が細くなったり抜けたりしていることが目立ちやすい。【０００４】
こうした場合、毛髪が抜ける前と同じ太さの毛髪の発毛を促すことは非常に難しく、かつらが使用されてきた。かつらは、頭部全体を覆うように、頭にかぶるタイプの繰り返し使用できるかつらと、植毛材を植え付けたベースシートと、このベースシートを頭皮に貼付するための粘着層とを備える使い捨てかつら（以下、「部分かつら」ということがある）とに大別される（特許文献１参照）。【０００５】
上記使い捨てかつらは、使用に際しては、外観上不自然な感じを与えないことが重要であり、このためには、頭皮への良好なフィット性が求められる。現在では、極薄シートからなるベースシートと上記ベースシートに植付けられた植毛材と上記ベースシートの裏面に設けられる粘着層とからなるかつらが提案されている（特許文献２参照。以下、「従来技術１」という。）。【０００６】
また、粘着層の粘着力を比較的低くしつつ、再利用可能な部分を使い捨ての部分から分離することによって、比較的長期間の使用に耐えることができる、再製性使い捨てかつらが提案されている（特許文献３、以下、「従来技術２」という。）【０００７】
さらに、シミを目立たなくする美白化粧品、皺を改善するしわ取り化粧品等も、様々な成分を含むものが市販されている（非特許文献１参照。以下、「従来技術３」という）。
【先行技術文献】
【特許文献】
【０００８】
【特許文献１】特許第3484565号公報
【特許文献２】特許第4009910号公報
【特許文献３】特開2012-92464号公報
【非特許文献】
【０００９】
【非特許文献１】http://www.sk-ii.jp/ja/whats-new/skin-solutions/Four-Steps-To-Reducing-Spots.aspx?utm_source=yahoo&utm_medium=cpc&utm_content=pc_cpc&utm_campaign=skincare
【発明の概要】
【発明が解決しようとする課題】
【００１０】
従来技術１及び２は、かつらを使用することで、現在薄くなってしまっている頭髪の状態を薄くなる前の状態のように見せることができるという点では優れた技術である。
しかし、従来技術１及び２で提案されている使い捨てかつらを使用しても、頭髪が薄くなる前の状態に戻る訳ではないため、頭髪の状態の変化に合わせながら、ずっと使用し続けなければならないという問題があった。【００１１】
なお、従来技術２では、従来技術１について改善が望まれる事項のいくつかが解消されているが、依然として、利用者が自らかつらを頭部に装着することが困難であることには変わりがない。すなわち、かつらのベースシートが３０μｍ程度の極薄のシートであるため、装着の際、ベースシートが不規則に変形してしまい、利用者が自らかつらを頭部に装着することが実質的にできなかった。このため、利用者がかつらの購入店に来店し、専門家により取り付けてもらわなければならなかった。【００１２】
しかし、かつらの取り付けの際に人目に曝され、気恥ずかしさを覚えるので、利用者は来店を嫌がる傾向がある。ハゲ、特に若ハゲの場合、利用者は、かつらを装着したい願望があるものの、来店しての装着が気恥ずかしく、結局、かつらの装着を断念することが多い。この結果、利用者となるべき者の行動が消極的となったり、暗い性格となったりすることが知られている。【００１３】
また、もともと、頭髪の色が濃い場合には頭髪が薄くなったことが目立ちやすく、頭髪の状態によって年齢が高く判断されるため、若々しい感じを与えるために、頭髪を増やすことについて、強い社会的な要請があった。さらに、頭髪を増やすことができればかつらを使用することも不要になり、かつらの装着に要する時間及びコストを節約できるため、こうした面からの要請も大きい。【００１４】
さらに、近年、美白効果を示す化粧品が注目され、多くの種類の化粧品が市販されている（従来技術３）が、白斑等の副作用が発生し、大きな問題となっている。皮膚細胞内でのメラニン合成を抑制すると、美白効果が現れると考えられており、チロシナーゼの活性抑制剤等が化粧品に配合されている。
しかし、美白や皺取り用の化粧品は、塗布後にひりひりする等の不快感が生じる、短期間しか効果を維持できないといった問題点があった。このため、美白や皺取り用の化粧品に対する、社会的要請が増大しつつある。
【課題を解決するための手段】
【００１５】
本願発明は、上記のような事情のもとで完成されたものであり、使用することによって、薄くなってしまった頭髪の状態を薄くなる前の状態に回復させることができる発毛促進用シートを提供することを目的とする。
すなわち、本願発明の第１の態様は、弾性材料からなるベースシートと；生理活性物質を含有し、かつ、前記ベースシート側とは反対方向に延びる複数のマイクロニードルが形成され、前記ベースシートの一方側の表面上に設けられたリザーバ層と；前記リザーバ層の前記ベースシート側とは反対側の表面上にメッシュ状に形成される接着層と；前記リザーバ層が形成されている面と反対側の前記ベースシートの面上に剥離可能に形成された接着補助層と；を備え、前記マイクロニードルの先端部は、前記接着層から突出している、ことを特徴とするシート状小片である。【００１６】
ここで、前記弾性材料は、透湿性を有する厚み0.1mm未満の半透明合成樹脂で構成されていることが好ましい。また、前記リザーバ層は、水溶性高分子と単糖類又は二糖類との混合物、及び、前記生理活性物質の混合物を含むことが好ましい。【００１７】
また、前記水溶性高分子は、コラーゲン、ゼラチン、ヒアルロン酸、デキストリン、デキストラン、プロテオグリカン、コンドロイチン硫酸ナトリウム、カルボキシメチルセルロース、ヒドロキシエチルセルロースヒアルロン酸、及びそれらの生理学的に許容される塩からなる群から選ばれる少なくともいずれかであることが好ましい。前記単糖類又は二糖類は、グルコース、フルクトース、スクロース、ラクトース、トレハロース及びこれらの２以上の混合物からなる群から選ばれるいずれかであることが好ましい。【００１８】
また、前記生理活性物質は、歯髄幹細胞の培養上清中に含まれるものであることが好ましく、前記歯髄幹細胞の培養上清は、凍結乾燥粉末であることが好ましい。そして、前記歯髄幹細胞は、（ｉ）ｂｍｉ−１、ＨＰＶ−Ｅ６及びＨＰＶ−Ｅ７からなる群から選ばれる少なくとも１種以上の遺伝子と、（ii）ｈTERT又はｐＴＥＲＴのいずれかの遺伝子との組み合わせを導入した不死化細胞であることが好ましい。さらに、前記歯髄幹細胞は、ヒト又はブタ由来であることが好ましい。【００１９】
前記接着層は、医療用シリコン系接着剤で形成されていることが好ましい。さらに、接着補助層は、スポンジ状部材で構成されていることが好ましく、前記スポンジ状部材は、ウレタン、シリコン、パルプ紙、スチロール、ビニール、及び布からなる群から選ばれる素材で構成されていることが好ましい。【００２０】
また、前記リザーバ層が形成されている面と反対側の前記接着層の面上に剥離可能に配置され、枠型形状を有する保持部材をさらに備え、前記保持部材は、前記接着層から突出しているマイクロニードルの先端部の高さよりも長い厚みを有するようにすることが好ましい。ここで、前記保持部材を、プラスチック製又は金属製シート状部材とすることが好ましい。当該金属製シート状部材としては、アルミ製部材を採用することができる。【００２１】
本発明の別の態様は、発毛促進用シートにおいて、本発明のシート状小片を備える、ことを特徴とする発毛促進用シートである。ここで、前記シート状小片が備えるベースシートに所定の密度で植え込まれた人工毛髪を更に備えるようにすることができる。ここで、前記人工毛髪が紫外線硬化性の樹脂により、前記ベースシートに固定されていることが好ましい。また、前記ベースシートの底面積が、指頭の表面積と同等の面積となっていることが好ましい。【００２２】
さらに、前記人工毛髪が、前記接着補助層を貫通して、前記ベースシートに植え込まれていることが好ましい。ここで、前記人工毛髪は、前記ベースシートを貫通し、前記ベースシートの前記リザーバ層側で、前記ベースシートに固定されていることが好ましい。【００２３】
また、本発明の発毛促進用シートでは、前記シート状小片を保持し、前記シート状小片における接着層から突出しているマイクロニードルの先端部の高さよりも長い厚みを有する枠型形状の保持部材をさらに備えることが好ましい。こうした保持部材としては、プラスチック製又は金属製シート状部材であることが好ましい。ここで、前記金属製シート状部材は、アルミ製であることが好ましい。【００２４】
本発明のさらに別の態様は、リザーバ層が凍結乾燥培養上清を含有する上記シート状小片を含む美白及び皺改善剤である。シート状小片を保持するための保持部材をさらに備えることが好ましく、前記保持部材は、プラスチック製又は金属製シート状部材であることが好ましい。ここで、前記金属製シート状部材は、アルミ製であることが好ましい。
【発明の効果】
【００２５】
本発明によれば、種々の大きさに加工できるため、頭部、顔面等の様々な部位に適切な大きさで貼付することができ、生理活性物質を効率よく導入できるシート状小片を提供することができる。【００２６】
また、本発明によれば、頭髪がほぼなくなっているか又は薄くなっている部分に貼付することにより、当該部分における発毛を促進することができる発毛促進用シートを提供することができる。さらに、本発明によれば、シミのある部分や皺の深い部分に貼付することにより、シミや皺を薄くするといった美白効果や皺の改善効果を発揮する、美白及び皺改善剤を提供することができる。
【図面の簡単な説明】
【００２７】
【図１】図１は、本発明のシート状小片の構造を示す模式図である。
【図２】図２は、マイクロニードルの形状を示す模式図である。（Ａ）は断面図、（Ｂ）は斜視図である。
【図３】図３は、図１のシート状小片の作製工程を説明する図（その１）である。
【図４】図４は、図１のシート状小片の作製工程を説明する図（その２）である。
【図５】図５は、本願発明の発毛促進用シートの作製で使用する培養上清を産生する不死化幹細胞の個体倍加回数の経時変化を示すグラフである。
【図６】図６は、上記不死化幹細胞におけるSTRO-1の発現が、個体倍加回数（PD）の増加に従って減少するか否かを確認したときのグラフである。
【図７】図７は、上記不死化幹細胞の骨形成能が、個体倍加回数（PD）の増加に従って減少するか否かを確認したときのヘマトキシリン−エオシン染色の結果を示す図である。
【００２８】
【図８】図８は、上記不死化幹細胞の個体倍加数と上記培養上清の新生骨の骨量産生能の変化を示すグラフである。
【図９】図９は、使い捨てかつらの機能も有する本発明の発毛促進用シートの構造を示す模式図である。
【図１０】図１０は、図９の発毛促進用シートの断面図である。
【図１１】図１１は、図９のシート状小片の作製工程を説明する図（その１）である。
【図１２】図１２は、図９のシート状小片の作製工程を説明する図（その２）である。
【図１３】図１３は、人工毛髪をベースシートに植え付ける様子を示す図（Ａ）、及び、（Ａ）におけるＢ部の拡大図（Ｂ）である。人工毛髪の植え込みを説明するための図である。
【図１４】図１４は、図９のシート状小片の作製工程を説明する図（その３）である。
【図１５】図１５は、本発明の発毛促進用シートを頭部に貼付したときの写真である。
【図１６】図１６は、本発明の発毛促進用シートを貼付前の頭皮の状態（Ａ）、装着３日後の頭皮の状態（Ｂ）、装着７日後の頭皮の発毛状態（Ｃ）をそれぞれ示す拡大写真である。
【図１７】図１７は、本発明の発毛促進用シートの頭部への貼付前後の変化を示す写真である。（Ａ）は頭頂部、（Ｂ）は耳の後ろの円形脱毛症部分にそれぞれ貼付したときの変化を示す。
【図１８】図１８は、本発明の美白及び皺改善剤の形状のバリエーションを示す模式図である。図中、（Ａ）はシミ取り用、（Ｂ）は目の周りの皺改善用、（Ｃ）はほうれい線の改善用、（Ｄ）は額の皺改善用の美白及び皺改善剤を示す模式図である。
【発明を実施するための形態】
【００２９】
以下に、本願発明をさらに詳細に説明する。なお、以下の説明又は図面においては、同一又は同等の要素には同一の符号を付し、重複する説明を省略する。
【００３０】
図１に示されるように、本願発明の係るシート状小片１は、（ａ）弾性材料からなるベースシート２と；（ｂ）生理活性物質を含有し、かつ、ベースシート２側とは反対方向（−Ｚ方向）に延びる複数のマイクロニードル４ｎが形成され、ベースシートの一方側（−Ｚ方向側）の表面上に設けられたリザーバ層４と；（ｃ）リザーバ層４のベースシート側とは反対側（−Ｚ方向側）の表面上にメッシュ状に形成される接着層５と；（ｄ）リザーバ層が形成されている面と反対側（＋Ｚ方向側）のベースシート２の面上に剥離可能に形成された接着補助層１２と；を備えている。ここで、マイクロニードル４ｎの先端部は、接着層５から突出している。
また、シート状小片１は、（ｅ）リザーバ層４が形成されている面と反対側（−Ｚ方向側）の接着層５の面上に剥離可能に配置され、枠型形状を有する保持部材Ｈをさらに備えている。ここで、保持部材Ｈは、接着層５から突出しているマイクロニードル４ｎの先端部の高さよりも長い厚みを有している。
【００３１】
なお、複数のシート状小片１が、金属性の板状部材、又はプラスチック製の板状部材上に載置される。ここで、当該板状部材には、シート状小片１の保持部材Ｈの−Ｚ方向側面が接着剤により強固に接着される。このように板状部材に載置されたシート状小片１は、板状部材上に保持部材を残した状態で、板状部材から剥離されるようになっている。
保持部材Ｈは、上記シート状小片１に形成されているマイクロニードル４ｎを保護するために、シート状小片と一致した形状の環状部材を備えるプラスチック製又は金属製シート状部材であることが製品の重量及びコストの面から好ましい。前記保持部材が金属製シート状部材である場合は、アルミ製であることが加工のし易さ等の点から好ましい
【００３２】
上記のベースシート２を構成する弾性材料は、透湿性を有し、厚みが0.1mm未満の、半透明の合成樹脂という３つの特徴を備えるものであることが好ましい。これは、以下の３つの理由による。
【００３３】
第１に、透湿性がないと皮膚に接着した場合には、後に汗に含まれる水分が蒸発せずに蒸れてしまい、不快であるばかりでなく、皮膚にも悪影響が出ることがある。第２に、厚みが0.1 mm以上では、皮膚に自然に沿わせて接着することができず、例えば、発毛促進用シートを頭皮に接着した場合や、美白及び皺改善剤を皮膚に貼付した場合に、外観上、前記発毛促進用シートを使用していることが視認できるような不自然さが残る。第３に、半透明の素材としておくと、皮膚のどのような位置に貼付した場合でも、前記発毛促進用シートを使用していることが目立たない。
【００３４】
こうした弾性素材としては、例えば、ポリウレタン樹脂、シリコン樹脂、ナイロン樹脂等を挙げることができ、シリコン素材のものを好適に使用することができる。透湿性を有する半透明合成樹脂の厚みは、約20〜約60μmであると、皮膚に対するフィット性がよく、さらに貼付していることが目立たないからである。なお、こうした素材を、本発明の美白及び皺改善剤に使用した場合には、例えば、顔に貼付した後、その上から化粧をすることも可能である。
【００３５】
上記のリザーバ層４は、図２に示されるように、−Ｚ方向に延びる複数のマイクロニードル４ｎが形成されている。マイクロニードル４ｎを形成するための凹部は、上部直径o1が約0.1〜0.3mm、底部直径o2が約0.03〜0.05mm、深さｔ２が約0.6〜1.0mmの円錐形状をなしており、格子状に配列されていることが好ましい。この凹部は、約50〜100個/cm2であることが好ましい。
【００３６】
リザーバ層４は、水溶性高分子と単糖類又は二糖類の混合物及び前記生理活性物質の混合物を含むことが好ましい。前記水溶性高分子は、コラーゲン、ゼラチン、ヒアルロン酸、デキストリン、デキストラン、プロテオグリカン、コンドロイチン硫酸ナトリウム、カルボキシメチルセルロース、ヒドロキシエチルセルロースヒアルロン酸、及びそれらの生理学的に許容される塩からなる群から選ばれる少なくとも１つであることが好ましくい。
【００３７】
これらの成分によって、適度な大きさのマイクロニードル４ｎを形成させることができ、形成されたマイクロニードル４ｎによって、後述する生理活性物質が効率よく皮膚に導入されるからである。これらの中でも、ヒアルロン酸を使用することが好ましい。また、前記単糖類又は二糖類は、グルコース、フルクトース、スクロース、ラクトース、トレハロース及びこれらの２以上の混合物からなる群から選ばれるいずれかであることが好ましい。コスト及び刺激性の点から、グルコースを使用することが好ましい。
【００３８】
上述の水溶性高分子と単糖類又は二糖類との組成物中の上記単糖類又二糖類の含有量は、0.2〜４重量％とすることが、マイクロニードル４ｎの皮膚内における溶解時間及び機械的強度の点から好ましい。単糖類又は二糖類の含有量が５％を超えるとマイクロニードルの皮膚内での溶解時間が30分以内と短くなりすぎるため、これらの含有量を0.2〜４重量％とすることが好ましい。
【００３９】
また、上記の接着層５は、医療用シリコン系接着剤で形成されていることが好ましい。貼付した後にかぶれる、剥がした後に皮膚が赤くなるといった問題が生じないからである。さらに、前記接着層５のメッシュから、適切な大きさのマイクロニードル４ｎが突出していることが、前記生理活性物質を効率よく皮膚に導入することができるために好ましい。
【００４０】
また、上記の接着補助層１２は、スポンジ状部材で構成されていることが好ましく、取扱い安く、安全で低コストであることから、ウレタン、シリコン、パルプ紙、スチロール、ビニール、及び布からなる群から選ばれる素材であることが好ましい。
【００４１】
上述したシート状小片１は、以下のようにして作製することができる。まず、図３（Ａ）に示されるように、ベースシート２、リザーバ層４、接着補助層１２、保持部材Ｈ及び各種の接着剤を準備する。
【００４２】
次に、ベースシート２の＋Ｚ方向側表面に一の接着剤を用いて接着補助層１２を剥離可能に接着し、図３（Ｂ）に示される積層体１ａを形成する。こうして接着補助層１２を設けることが、この後のリザーバ層４等を形成する上で、作業を効率的に行うことができる点から好ましい。
次いで、ベースシート２の−Ｚ方向側表面に他の接着剤を用いてリザーバ層４を強固に接着し、図３（Ｃ）に示される積層体１ｂを形成する。引き続き、リザーバ層の−Ｚ方向側面におけるマイクロニードル４ｎが形成されていない部分に、メッシュ状に粘着剤を塗布して接着層５を形成し、図４（Ａ）に示されるように積層体１ｃを形成する。
【００４３】
次いで、積層体１ｃを所望の大きさにカットした後、接着層５の−Ｚ方向側表面に保持部材Ｈを接着する。この結果、図４（Ｂ）に示されるように、シート状小片１が作製される。
こうして作製されたシート状小片１を、所望の厚みを有する所望の大きさの金属性の板状部材、又はプラスチック製の板状部材上に設けられたリング状のシートホルダー上に載置し、製品とする。
【００４４】
なお、リザーバ層４に含まれる生理活性物質は、以下のようにして得ることができる。
まず、上記生理活性物質を含む培養上清の産生に使用する歯髄幹細胞を準備する。こうした幹細胞は、(ｉ)bmi-1、HPV-E6及びHPV-E7からなる群から選ばれる少なくとも１種以上の遺伝子と、(ii)hTERT又はpTERTのいずれかの遺伝子との組み合わせを導入したものである。これらの遺伝子の組み合わせを導入すると、歯髄幹細胞を100代以上、継代することができるからである。
【００４５】
上記歯髄幹細胞の作製に当たっては、まず、哺乳類の歯髄細胞を以下のようにして単離する。ここで、「歯髄幹細胞」とは、再生能を有する歯の神経に含まれる幹細胞の一種をいう。歯という硬質の材料に保護されているため紫外線や放射線を通さず、遺伝子も傷つきにくいという特性を有する。
【００４６】
上記遺伝子のうち、hTERTはヒトテロメア修復酵素を、また、pTERTはブタのテロメア修復酵素をそれぞれコードする遺伝子である。bmi-1はBmi-1（ポリコーム複合体を構成するたんぱく質の１つ）を産生する遺伝子である。Bmi-1は造血幹細胞の維持に必要であり、活性増強により造血幹細胞を増やすことができる。また、HPV-E6及びE7はHPV-16又はHPV-18の初期遺伝子であり、これらのヒトパピローマウイルスが自己複製のために使用する初期遺伝子をコードするオープンリーディングフレーム中に存在する遺伝子である。
【００４７】
以下に、ヒトの脱落乳歯から歯髄細胞を用いた不死化幹細胞を作製する場合を例に挙げて説明する。
まず、上記脱落乳歯を、例えば、クロロヘキシジンで消毒し、歯冠部を分割し、歯科用リーマーにて歯髄組織を回収する。次いで、採取した歯髄組織を、基本培地、例えば、５〜15％のウシ血清（calf serum、以下、「CS」ということがある。）及び50〜150ユニット/mLの抗生物質を含有するダルベッコ変法イーグル培地（Dulbecco's Modified Eagle's Medium、以下、「DMEM」という。）に懸濁する。
【００４８】
ついで、１〜５mg/mLのコラゲナーゼ及び１〜５mg/mLのディスパーゼを用いて、37℃で、0.5〜２時間処理する。酵素処理の後、３〜10分間の遠心操作（3,000〜7,000回転／分）を行い、歯髄細胞を回収する。必要に応じて、セルストレーナーを用いて細胞の選別を行う。選別された細胞を、例えば、３〜６mLの上記基本培地で再懸濁し、直径４〜８cmの付着性細胞培養用ディッシュに播種する。
【００４９】
引き続き、培養液、例えば、10％FCSを含有するDMEMを添加した後、５％CO2インキュベータにて、37℃で２週間程度培養する。上記培養液を除去した後、PBS等で細胞を1〜数回洗浄する。培養液の除去及び細胞の洗浄に代えて、コロニーを形成した接着性の歯髄幹細胞を回収することもできる。接着性の歯髄幹細胞は、例えば、0.025〜0.1％のトリプシンと0.3〜１mMのEDTAにて、数分間、37℃で処理してディッシュから剥離させ、次いで細胞を回収する。
【００５０】
酵素処理の後、３〜10分間の遠心操作（3,000〜7,000回転／分）を行い、歯髄細胞を回収する。必要に応じて、セルストレーナーを用いて細胞の選別を行う。選別された細胞を、例えば、３〜６mLの上記基本培地で再懸濁し、直径４〜８cmの付着性細胞培養用ディッシュに播種する。
【００５１】
次いで、培養液、例えば、10％FCSを含有するDMEMを添加した後、５％CO2インキュベータにて、37℃で２週間程度培養する。上記培養液を除去した後、PBS等で細胞を1〜数回洗浄する。培養液の除去及び細胞の洗浄に代えて、コロニーを形成した接着性の歯髄幹細胞を回収することもできる。接着性の歯髄幹細胞は、例えば、0.025〜0.1％のトリプシンと0.3〜１mMのEDTAにて、数分間、37℃で処理してディッシュから剥離させ、次いで細胞を回収する。
【００５２】
次に、上記のように選別された接着性細胞を培養する。例えば、上記のようにして得た歯髄幹細胞を付着性細胞培養用ディッシュに播種し、５％CO2、37℃の条件でインキュベータにて培養する。以上のようにして、ヒト脱落乳歯幹細胞の初代培養細胞（SHED-P）を得ることができる。
【００５３】
継代培養は、例えば、肉眼で観察してサブコンフレント又はコンフレントに達したときに、上述のように、トリプシンとEDTAとを用いて細胞を培養容器から剥離させて回収し、再度、培養液を入れた培養容器に播種する。
【００５４】
ここで、サブコンフレントとは、培養容器中の細胞付着面の約70％に細胞が付着した状態をいう。例えば、継代培養を１〜８回行い、選別された細胞を、必要な細胞数、例えば約1×107個/mLまで増殖させる。以上のように培養した後に、細胞を回収して液体窒素中にて保存する。様々なドナーから回収した細胞を歯髄幹細胞バンクの形態で保存することにしてもよい。
【００５５】
(ｉ)bmi-1、HPV-E6及びHPV-E7からなる群から選ばれる少なくとも１種以上の遺伝子と、（ii）hTERT又はpTERTのいずれかの遺伝子との組み合わせは、以下のようにして導入することができる。まず、上記の遺伝子の組み合わせを組み込むためのプラスミドを調製し、これをシャトルベクター、例えば、pShuttle 2に組み込んで、クローニングを行う。その後、pShuttle 2で大腸菌を形質転換し、カナマイシンをマーカーとして、カナマイシン耐性形質転換体（以下、「Kn+」という。）を選択する。このKn+のDNAを精製し、制限酵素部位を解析して、生成された組換え体を同定する。
【００５６】
次に、例えば、PI-Sce I及びI-Cue Iを使用して発現カセットを上記のシャトルベクターから切り出し、この発現カセットを、例えば、アデノウイルスベクターのDNAにライゲーションし、Adeno-X viral DNAを得る。得られたライゲーション産物（Adeno-X viral DNA）を、例えば、Swa Iで切断し、切断産物を用いて大腸菌をトランスフォーメーションして形質転換体を得る。
【００５７】
得られた形質転換体の中から、例えば、アンピシリンを用いて、アンピシリン耐性異質転換体（以下、「Amp+」という。）を選択して精製し、制限酵素部位を解析して組換え体を同定する。次いで、例えば、Pac Iで組換えアデノウイルスを消化し、得られた断片をHEK293細胞にトランスフェクトして増殖させ、これを集めて上記ウイルスの力価を測定する。常法に従って上記ウイルスを精製し、標的細胞であるSHED-Pに感染させる。
【００５８】
ウイルス感染後のHEK293の細胞群を常法に従ってFITCで染色し、フローサイトメーターを用いて、STRO-1陽性細胞を検出する。ここで、STRO-1は、骨髄における多分化能を有する間葉系幹細胞のマーカーの１つとして考えられており、細胞の不死化の指標となる。以上の手順によって、歯髄由来の不死化幹細胞を得ることができる。
【００５９】
次に、得られた不死化幹細胞を、上述した基本培地、例えば、10％FBSを加えたDMEMを用いて、５％CO2、37℃の条件下に、24〜48時間培養し、培養上清を得る。培養上清の回収は、例えば、コマゴメピペット等を使用することができる。
【００６０】
また、本発明の不死化幹細胞は、インスリン様成長因子（IGF-1）、血管内皮細胞増殖因子（VEGF）、トランスフォーミング増殖因子-β（TGF-β）、及び肝細胞増殖因子であるHGFからなる群から選ばれる、少なくとも２以上の成長因子を培養上清中に分泌する。ここで、「成長因子」とは、細胞分裂を促進させたり、形態の変化や肥大をもたらしたりするポリペプチドの総称である。成長因子を産生する細胞の種類によって因子は異なり、上皮成長因子(EGF)、繊維芽細胞成長因子(FGF)、神経成長因子（NGF）、腫瘍増殖因子(TGF)などに大別される。
【００６１】
さらに、各細胞の細胞膜にある受容体はチロシンキナーゼ活性をもち、成長因子が結合すると、たんぱく質のチロシン残基がリン酸化され、細胞の増殖や分化を引き起こす。成長因子が個体発生において中胚葉誘導物質となっている例がいくつか知られている。また、免疫系を調節するリンホカイン個体発生において中胚葉誘導物質となっている例がいくつか知られている。こうした成長因子は、公知のELISA法、マイクロアレイ法等で定量することができる。
【００６２】
上記IGF-1は、インスリンと配列が高度に類似したポリペプチドであり、細胞培養でインスリンと同様に有糸分裂誘発等の反応を引き起こす。神経細胞の成長にも影響することが知られている。また、上記VEGFは、胚の形成期に、血管がないところに新たな血管を形成する脈管形成及び既存の血管から分枝伸長して血管を形成する血管新生に関与する一群の糖タンパクである。
【００６３】
上記TGF-βはまた、多くの細胞に対する強力な増殖抑制因子となり、細胞の分化・遊走・接着にも密接に関与し、個体発生や組織再構築、創傷治癒、炎症・免疫、癌の浸潤・転移などの幅広い領域に重要な役割を担っている。さらに、HGFは、肝細胞のみならず様々な細胞に対して、細胞増殖促進、細胞運動促進、抗アポトーシス（細胞死）、形態形成誘導、血管新生その他の組織・臓器の再生と保護を担う多才な生理活性を有している。
【００６４】
上述した各種幹細胞を、例えば、15％FCSを添加したDMEM中で、37℃にて所定の期間、培養することにより、上記の成長因子を含む培養上清を得ることができる。なお、上記幹細胞の培養上清には、IGF-1、VEGF、TGF-β、及びHGF以外にも、約70種類のタンパクが含まれる。
【００６５】
得られた培養上清のうち15mLを、Amicon Ultra Centrifugal Filter Units-10K(ミリポア社製)に入れ、4,000xgで約60分間遠心し、約200μlまで濃縮する。次いで、このチューブに培養上清と同量の滅菌PBSを投入し、再度、4,000xgで約60分間遠心し、溶媒をPBSに置換する。得られた200μLの溶液をマイクロテストチューブへ回収し、濃縮幹細胞培養上清とする。
【００６６】
上記のAmiconを使用する方法に代えて、エタノール沈殿法で濃縮することもできる。例えば、５mLの培養上清に対して45mLの100％エタノールを加えて混和し、-20℃で60分間放置する。その後、15,000ｘgで15分間、４℃にて遠心して、上澄みを除去する。
次いで、例えば、10mLの90％エタノールを加えてよく攪拌し、再び、15,000ｘgで５分間、４℃にて遠心する。上澄みを除去し、得られたペレットを、例えば、500μLの滅菌水に溶解することができる。溶解後、全量をマイクロテストチューブに回収し、濃縮幹細胞培養上清とする。
【００６７】
以上のようにして得られた培養上清を常法に従って凍結乾燥し、用時調整の組成物とすることができる。得られた組成物は、本発明のシート状小片１で使用するリザーバ層４の形成に使用することができる。
【００６８】
具体的には、上記の水溶性高分子と単糖類又は二糖類とを所定の割合で混合し、ここに凍結乾燥した上記培養上清粉末を混合して、リザーバ層形成用材料を調製する。例えば、ヒアルロン酸、ポリビニルアルコール等の水溶性高分子に、約0.2〜４重量％のグルコース又はデキストランを混合し、ここに所望量の上記培養上清の凍結乾燥粉末を混合し、リザーバ層形成用材料とする。
【００６９】
ついで、感光性樹脂でシートを形成させた後に、フォトリソグラフィ法を用いて、図２（Ａ）に示すような形状のマイクロニードルパターンを作製する。その後、電鋳加工によりこのパターンを転写して、マイクロニードル形成用の鋳型を製造する。この鋳型は、一辺を約８〜20cmとすることが、作業効率の点から好ましい。また、マイクロニードル４ｎを形成するための凹部は、上部直径o1が約0.1〜0.3mm、底部直径o2が約0.03〜0.05mm、深さｔ２が約0.6〜1.0mmの円錐形状をなしており、格子状に配列されていることが好ましい。この凹部は、約50〜100個/cm2であることが好ましい（図２（Ｂ）参照）。
【００７０】
上記リザーバ層形成用材料に水を加えて、約５〜20％の固形分を含む水溶液を調製し、室温にて、上記の鋳型に流し込み、水分を蒸発させて乾燥させ、その後に鋳型から剥離させると、マイクロニードル４ｎが形成されたリザーバ層４を得ることができる。
【００７１】
なお、以上のようにして作製されたシート状小片１は、使用する上記生理活性物質の量を調節することにより、発毛促進用シート又は美白及び皺改善剤の一態様として使用することができる。そこで、以下の説明では、シート状小片１を、適宜、「発毛促進用シート１」又は「美白及び皺改善剤１」とも記す。
【００７２】
次に、発毛促進用シートの別態様について説明する。図９には、発毛促進用シートの別態様である発毛促進用シート１０の構成が示されている。図９に示されるように、発毛促進用シート１０は、上述したシート状小片１と；複数の人工毛髪６と；を備えている。
【００７３】
上記の人工毛髪６は、図１０に示されるように、ベースシート２に所定の密度で植え込まれている。この図１０に示されるように、人工毛髪６は、ベースシート２及び接着補助層１２を貫通しており、ベースシート２の−Ｚ方向側表面においてベースシート２に固定されている。
【００７４】
上記の発毛促進用シート１０は、全体を頭皮に接着させて使用することが前提とされるため、スキンベースを使用することが好ましい。また、発毛促進用シート１０の厚みは、20〜60μmであることが接着性の良さと着脱時の丈夫さとのバランスの面で好ましく、30〜40μmであることがさらに好ましい。
【００７５】
ここで、所定の密度は、発毛促進用シート１０を貼付する部位の発毛状態に依存して適宜決定される。一般的には、日本人の全頭髪毛数は約10万本と言われ、頭毛密度（１cm2当たりの本数）は、髪頭頂部で133〜249本（平均199本）、前頭部で114〜250本（平均183本）、後頭部で137〜235本（平均172本）、側頭部106〜217本（平均130本）という測定値が公表されている。こうした数字を参考にして、適宜選択すればよい。
【００７６】
また、人工毛髪６は、ポリエステル繊維、塩化ビニル繊維、アクリル繊維、難燃ポリエステル繊維等、かつらの作製に一般的に使用されている繊維を使用することができ、ポリエステル繊維を使用することがコスト面から好ましい。
【００７７】
また、人工毛髪６は、紫外線硬化性の樹脂により、ベースシート２に固定されることが好ましい。こうして、紫外線硬化性を用いることにより、人工毛髪６の抜けを防ぎつつ、効率よく植毛した人工毛髪６を固定できるからである。
【００７８】
上述した発毛促進用シート１０は、以下のようにして作製することができる。まず、図１１（Ａ）に示されるように、ベースシート２、リザーバ層４、接着補助層１２、保持部材Ｈ、複数の人工毛髪６及び各種の接着剤を準備する。
【００７９】
次に、ベースシート２の＋Ｚ方向側表面に一の接着剤を用いて接着補助層１２を剥離可能に接着し、図１１（Ｂ）に示される積層体１ａを形成する。引き続き、積層体１ａの接着補助層１２及びベースシート２を貫通するように、複数の人工毛髪６を所定の密度で植え込んで、図１２（Ａ）に示される中間材１０ａを作製する。
【００８０】
かかる積層体１ａへの人工毛髪６の植え込みには、例えば、Ｖ型植毛法により行われる。かかるＶ型植毛法による植毛に際しては、図１３に示されるように、一定長に切断された人工毛髪６を、ベースシート２の−Ｚ方向側において、Ｚ軸方向に移動可能な１対の案内針１５に係止させる。その状態で、人工毛髪６を係止したまま、案内針１５を＋Ｚ方向へ移動させる。この結果、案内針１５は、人工毛髪６の根部６ａをベースシート２の−Ｚ方向側に残しつつ、＋Ｚ方向へ移動して引き抜かれる。この後、ベースシート２の−Ｚ方向側に残った根部６ａに紫外線硬化接着剤を塗布し、紫外線を照射して硬化させる。こうして、積層体１ａへの人工毛髪６の植え込みが行われる。
【００８１】
図１２に戻り、中間材１０ａが作製されると、中間材１０ａのベースシート２の−Ｚ方向側表面に接着剤を用いてリザーバ層４を強固に接着し、図１２（Ｂ）に示される中間材１０ｂを作製する。このとき、前記ベースシート２の裏面全面に、上述したマイクロニードル４ｎを備える厚みの均一な層を重ねてリザーバ層４を形成することが、接着性の向上と自然な外観とを確保する上で好ましい。また、上記厚みは、ベースシート２の厚みの1.5〜２倍程度（約45〜80μm）とすることが、本発明の発毛促進用シートの引っ張り強さを維持すること、及び上記人工毛髪（「ヘア材」ということがある。）６を安定させることができることから好ましい。
【００８２】
引き続き、中間材１０ｂのリザーバ層４の−Ｚ方向側面におけるマイクロニードル４ｎが形成されていない部分に、メッシュ状に粘着剤を塗布し接着層５を形成し、図１４（Ａ）に示される中間材１０ｃを作製する。
【００８３】
次いで、中間材１０ｃを所望の大きさにカットした後、中間材１０ｃの接着層５の−Ｚ方向側表面に保持部材Ｈを接着する。この結果、図１４（Ｂ）に示されるように、発毛促進用シート１０が作製される。
こうして作製された発毛促進用シート１０を、所望の厚みを有する所望の大きさの金属性の板状部材、又はプラスチック製の板状部材上に設けられたリング状のシートホルダー上に載置し、製品とする。
【００８４】
本発明の発毛促進用シート１０は接着層５が格子状に形成されているため、皮膚から現れた毛髪が伸びることを、必要以上に抑えることがない。その結果、速やかな発毛を実現することができる。
【００８５】
また、上記の発毛促進用シート１０の作製の工程から、上記のベースシート２に人工毛髪６を植え込む工程を省き、使用する上記生理活性物質の量を調節することにより、本発明の美白及び皺改善剤を作製することができる。作製された美白及び皺改善剤は、図１８（Ａ）〜（Ｄ）に示すように、用途に応じて種々の大きさにカットすることができ、シート状小片１の場合と同様に、保持部材Ｈ上に載せて製品とすることができる。
【実施例１】
【００８６】
（不死化SHEDの作出及び培養方法）
（１）ウイルス導入用ベクターの作製
（１−１）プラスミド抽出用試薬
カナマイシン（Kan）、アンピシリン（Amp）、LB液体培地及びLB寒天培地、グリコーゲン、アガロース、滅菌水、酢酸アンモニウム、酢酸ナトリウム、ドデシル硫酸ナトリウム及びRNase Aを使用した。50mg/mLのカナマイシン（Kan）及びアンピシリン（Amp）を調製し、ストック溶液として−20℃で保存した。グリコーゲンは20mg/mLに調製した。10mg/mLのRNase Aを調製し−20℃で保存した。10M（飽和）酢酸アンモニウム（NH4OAc）、３Ｍの酢酸ナトリウム（NaOAc；pH5.2）を調製した。【００８７】
（１−２）制限酵素等
大腸菌コンピテントセル（Supercharge EZ10 Electrocompetent Cells、製品コード 636756）、Swa I（製品コード 1111A、Smi Iが同等品）、Xho I（製品コード 1094A）、T4 DNA Ligase（製品コード 2011A）、NucleoBond Xtra Midi（製品コード 740410.10/.50/.100）、NucleoSpin Plasmid（製品コード 740588 10/50/250）は、いずれもタカラバイオ（株）より購入した。Pac IはNew England Biolabsより購入した。【００８８】
（１−３）バッファー等
1×TE Buffer（1mMのEDTAを含む10mM Tris-HCl [pH8.0]）、100mM Tris-HCl（pH8.0）で飽和したフェノール：クロロホルム：イソアミルアルコール（25：24：1、以下、「PCI混液」という。）を調製した。エタノールは、100％及び70％で使用した。ミニスケールでの組換えで使用するpAdeno-X プラスミドDNAの精製用に、以下のバッファー１〜４を調製した。【００８９】
バッファー１：10mM EDTA及び50mM グルコースを含む25mM Tris-HCl（pH8.0）（オートクレーブ後、４℃で保存）
バッファー２：１％SDSを含む0.2M NaOH（使用直前に用時調製、密封し、室温保存）
バッファー３：５M KOAc（オートクレーブ後、４℃で保存）
バッファー４：1mM EDTA、20μg/mL RNaseを含む10mM Tris-HCl（pH8.0）
（使用直前にRNaseを添加する。−20℃で保存）【００９０】
（２）アデノウイルス精製及びβ-galアッセイ用試薬
ヒト５型アデノウイルスで形質転換したヒトHEK293細胞（ATCC #CRL1573）を使用した。HEK293細胞は完全培地で培養した。完全培地の組成は、100unit/mLのペニシリンGナトリウムと100μg/mLのストレプトマイシン、4mMLのグルタミン及び10％FBSを添加したDMEM（Dulbecco’s Modified Eagle’s Medium、基本培地）とした。ペニシリンGナトリウム溶液は10,000units/mL、硫酸ストレプトマイシン溶液は10,000μg/mLで調製し、ストック溶液として保存した。培養には、60mmプレート、100mmプレート、6−ウェルプレート、T75及びT175フラスコを使用した。【００９１】
トリプシン-EDTA（製品コード CC-5012）はタカラバイオ（株）より購入した。リン酸緩衝生理食塩水（PBS、Ca2＋及びMg2＋不含）及びDulbecco’s リン酸緩衝生理食塩水（DPBS、Ca2＋及びMg2＋含有）を調製した。また、0.33％のニュートラルレッド染色液、0.4％トリパンブルー染色液を使用した。β-galアッセイには、X-Gal (5-bromo-4-chloro-3-indolyl-β-D-galactopyranoside (25mg/mL))ジメチルホルムアミド（DMF）溶液は−20℃で遮光保存した。Luminescent β-gal Detection Kit II（製品コード 631712、タカラバイオ（株）製）を使用した。【００９２】
（３）予備試験
（３−１）lacZ を含む組換えアデノウイルス（pAdeno-X-lacZ）の構築
10mLの上述した完全培地に、解凍後、DMSOを除去したHEK293細胞を再懸濁し、全量を直径100mmの培養プレートに移した。HEK293細胞が付着した後に培養液を除去し、細胞を滅菌PBSで一度洗浄し、１mLのトリプシン-EDTA溶液を加えて約２分間処理した。次に、10mLの完全培地を加えてトリプシンの反応を止め、穏やかに懸濁した。バイアブルカウントを行って、培養液10mLを入れた直径100mmのプレートに105個の細胞を移し、均一に拡げた。【００９３】
pShuttle2-lacZ（Adeno-X Expression System 1に含まれている陽性対照ベクター）とキットに含まれているAdeno-X Viral DNA（PI-Sce I及びI-Ceu I digested）とを使用し、キットに添付されているプロトコルに従って、lacZを含む組換えアデノウイルスを構築した。標的細胞であるSHEDに感染させ、β-ガラクトシダーゼの発現をアッセイし、ベクターが構築されていることを確認した。【００９４】
（３−２）組換えpShuttle 2プラスミドの構築
組換えpShuttle 2 Vector（以下、「rpShuttle 2 Vector」という。）の構築前に、キットに含まれているpShuttle 2 Vector及びpShuttle 2-lacZ VectorでDH5α大腸菌を形質転換した。50μg/mLのカナマイシンを含有するLB寒天プレート（以下、「LB/Kan」という。）上で形質転換体を選択し、単一コロニーからとった菌体を新しいLB/Kanに画線し、37℃で一晩インキュベートした。【００９５】
次いで、hTERT、bmi-1、HPV-E6、HPV-E7を、pShuttle 2へ以下の手順でクローニングした。これらの遺伝子に適した制限酵素でpShuttle 2 Vectorを切断した。次いで、上記のキットに添付されているpShuttle 2 Vector Information Packet（PT3416-5）を参照し、挿入するDNAに合致するマルチクローニングサイトを決定した。制限酵素処理済みの上記プラスミドをアルカリホスファターゼで処理して精製した。【００９６】
常法に従って、標的DNA断片を調製し精製した。上記の制限酵素で消化したベクターと上記の遺伝子断片とをライゲーションし、DH5α細胞（コンピテント細胞）を、ライゲーション産物で形質転換した。上記コンピテント細胞の一部をとり、キットに含まれている対照ベクターpShuttle2-lacZ Vectorで形質転換して陽性対照とした。【００９７】
形質転換した大腸菌を含む混合液を、LB/Kan寒天プレートに接種し、カナマイシン耐性（Kanr）の形質転換体（コロニー）を選択した。５〜10個のKan耐性クローンを選択し、少量の液体培地に接種して増幅した。これらのクローンがrpShuttle 2 Vectorを有していることを確認した後に、一晩インキュベートした。その後、市販のシリカ吸着カラムを用いて、常法に従い、構築されたプラスミドDNAを精製した。【００９８】
このプラスミドDNAを制限酵素で処理して、１％アガロースゲル電気泳動を行い、目的の組換えプラスミドを同定した。シーケンシングによって、挿入した断片の方向と挿入部位を確認し、ポジティブクローンを同定した。組換えpShuttle 2プラスミドDNA（以下、「rpShuttle2プラスミドDNA」という。）をターゲット細胞に直接にトランスフェクトし、ウエスタンブロットを行って目的タンパク質の発現を予備的にチェックした。【００９９】
（３−３）rpShuttle 2プラスミドDNAのPI-Sce I/I-Ceu I二重消化
上記のようにして作製したrpShuttle 2プラスミドDNAから、導入した遺伝子の発現カセットをPI-Sce I及びI-Ceu Iで切り出した。キットに添付されたプロトコルに記載されたin vitroライゲーション法に従って、切り出した発現カセットをAdeno-X Viral DNAに組み込んだ。rpShuttle 2プラスミドDNAのPI-Sce I/I-Ceu I二重消化液を30μl調製し、下記の表1に記載した試薬を1.5mLの滅菌済みマイクロ遠心チューブに入れて混合した。【０１００】
【表１】
2016175164.tif 000003
【０１０１】
次いで、十分に混和した後にマイクロ遠心チューブに入れて軽く遠心し、その後、37℃にて３時間インキュベートした。1kbラダー（DNAサイズマーカー）と共に上記二重消化後の反応液（５μL）を１％アガロース/EtBrゲルで泳動した。【０１０２】
（３−４）フェノール：クロロホルム：イソアミルアルコール抽出
遠心チューブに、上述した二重消化液の残り（25μl）に、70μLの1×TE Buffer（pH8.0）と100μLのPCI混液とを添加し、ボルテックスで十分に撹拌した。次いで、微量遠心機を用いて、４℃にて14,000rpmで５分間遠心し、水層を清浄な1.5mLのマイクロ遠心チューブに移した。ここに、400μLの95％エタノール、25μLの10M酢酸アンモニウム、及び1μLのグリコーゲン（20mg/mL）を添加し、ボルテックスで十分に撹拌した。【０１０３】
次いで、４℃にて14,000rpmで５分間遠心し、上清を吸引して除去し、ペレットを得た。このペレットに300μLの70％エタノールを加え、室温にて14,000rpmで２分間遠心した。上清を注意深く吸引して除去し、ペレットを室温にておよそ15分間風乾した。
ペレットが乾燥した後に、これを10μLの滅菌した1×TE Buffer（pH8.0）に溶解し、使用するまで−20℃にて保存した。【０１０４】
（４）組換えAdeno-X プラスミドDNAの構築
（４−１）Adeno-X ウイルスゲノムへの発現カセットのサブクローニング
下記の表２に示す試薬を、順番通りに1.5mLの滅菌済マイクロ遠心チューブに入れ、穏やかに混和し、軽く遠心した後に、16℃にて一晩インキュベートした。【０１０５】
【表２】
2016175164.tif 000004
【０１０６】
各サンプルに、90μLの1×TE Buffer（pH8.0）と100μLのPCI混液とを加えて、ボルテックスで穏やかに撹拌した。４℃にて14,000rpmで５分間遠心し、水層を清浄な1.5mLのマイクロ遠心チューブに移し、ここに400μLの95％エタノール、25μLの10M酢酸アンモニウム、及び１μLのグリコーゲン（20mg/mL）を加えて、ボルテックスで穏やかに撹拌した。【０１０７】
４℃にて５分間、14,000rpmで遠心し、上清を吸引により除去してペレットを得た。以下のエタノール沈殿操作は、上記（３−４）と同様に行った。ペレットが乾燥した後に、これを15μLの滅菌脱イオン水に溶解した。【０１０８】
（４−２）組換えAdeno-X プラスミドDNAのSwa I消化
下記表３に示す消化液を調製し、遠心チューブに入れた各サンプルに加えて、２時間、25℃にて、インキュベートした。【０１０９】
【表３】
2016175164.tif 000005
【０１１０】
各サンプルに、80μLの1×TE Buffer（pH 8.0）と100μLのPCI混液とを加え、ボルテックスで穏やかに撹拌した。マイクロ遠心チューブ、４℃にて５分間、14,000rpmで遠心した。以下のエタノール沈殿の操作は、上記（３−４）と同様に行い、ペレットの溶解液は使用まで−20℃にて保存した。【０１１１】
（４−３）組換えAdeno-XプラスミドDNAによる大腸菌の形質転換の確認
エレクトロポレーション用コンピテントセル（大腸菌）を、Supercharge EZ10Electrocompetent Cell（製品コード 636756）を使用して、上記（４−２）で得たSwa I消化産物で形質転換した。形質転換混合液を、LB培地にアンピシリン（終濃度100μg/mL）を加えた寒天プレート（以下、「LB/Amp寒天プレート」という。）に接種し、37℃で一晩インキュベートした。アンピシリン耐性（Ampr）形質転換体として、約106個のコロニーを得た。得られたコロニーを、製品に付属のAdeno-X System PCR Screening Primer Setでチェックした。【０１１２】
５mLの新鮮なLB/Amp液体培地に単一のコロニーからの菌体を接種し、一晩培養した。翌日、後述するミニスケール法に従って、Adeno-X プラスミドDNAを精製した。【０１１３】
（４−４）組換えAdeno-XプラスミドDNAのミニスケール調製
対数増殖にある培養液5mLを、14,000rpmで30秒間遠心し、上清を除去した。ペレットを再度10,000rpmで１分間遠心し、マイクロピペットを用いて、上清を除去した。ここに、150μLの上記バッファー１を加えて穏やかにピペッティングし、再懸濁した。この細胞懸濁液に、150μLのバッファー２を添加し、穏やかに転倒混和し、氷上に５分間放置した。冷却した細胞懸濁液に、150μLのバッファー３を加えて、再度転倒混和し、氷上に５分間放置した。【０１１４】
この細胞懸濁液を、４℃にて14,000rpmで５分間遠心し、透明な上清を清浄な1.5mLの遠心チューブに移した。この上清に、450μLのPCI混液を添加し、転倒混和して撹拌した。その後、４℃にて14,000rpmで５分間遠心し、水層を清浄な1.5mLのマイクロ遠心チューブに移した。【０１１５】
以下のエタノール沈殿の操作は、上記（４−１）と同様に操作を行い、ペレットの溶解液は、使用まで−20℃にて保存した。目的のrDNAは、後述する制限酵素による解析及びPCRにより同定した。【０１１６】
（５）得られたrAdeno-XプラスミドDNAの制限酵素部位解析
PI-Sce I及びI-Ceu Iを用いて解析を行った。下記の表４に示す試薬を、1.5mLの滅菌済みマイクロ遠心チューブに入れ、30μLのPI-Sce I/I-Ceu I二重消化反応液を加えて、十分に撹拌し、軽く回転させて内容物を集めた。【０１１７】
【表４】
2016175164.tif 000006
【０１１８】
37℃にて３時間インキュベートし、制限酵素処理を行った。この処理後の反応液を１％アガロース/EtBrゲルで泳動した。【０１１９】
（６）組換えアデノウイルスの産生
（６−１）HEK293細胞トランスフェクト用rAdeno-XプラスミドDNAの調製
下記表５に示す試薬等を、1.5mLの滅菌済み遠心チューブに入れて混合し、微量遠心機で軽く遠心した。その後、37℃にて２時間、インキュベートし、rAdeno-XプラスミドDNAのPac I制限酵素処理を行った。【０１２０】
【表５】
2016175164.tif 000007
【０１２１】
60μLの1×TE Buffer（pH 8.0）と、100μLのPCI混液とを添加し、ボルテックスで穏やかに撹拌し、微量遠心機で、４℃にて５分間、14,000rpmで遠心した。水層を、清浄な1.5mLの滅菌済み遠心チューブに注意深く移した。
以下のエタノール沈殿の操作は、上記（３−４）と同様に操作を行い、ペレットの溶解液は、使用まで−20℃にて保存した。【０１２２】
（６−２）Pac I消化Adeno-XプラスミドDNAのHEK293細胞へのトランスフェクション
上記プラスミドDNAのトランスフェクションの24時間前に、直径60mmの培養プレートあたりの細胞数が1〜2×106（およそ100cells/mm2）になるよう、HEK293細胞を接種し、37℃、５％CO2存在下でインキュベートした。【０１２３】
各培養プレートに、Pac I消化した10μLのAdeno-XプラスミドDNAをトランスフェクトし、標準的なトランスフェクション法（CalPhos Mammalian Transfection Kit 製品コード 631312、タカラバイオ（株）製）に従って、HEK293細胞にAdeno-X DNAを導入した。トランスフェクションの翌日から、CPE（細胞変性効果）が起きているかどうかを確認した。１週間後に、培養プレートの底面や側面に付着している細胞を穏やかに撹拌して遊離させた。得られた細胞懸濁液を15mLの滅菌済みの円錐遠心チューブに移し、室温にて５分間、1,500×gで遠心した。【０１２４】
得られた沈殿を、500μLの滅菌PBSに懸濁した。ドライアイス/エタノール中で凍結させ、37℃の恒温槽で融解させるという凍結融解操作を３回繰り返して、細胞を十分に融解させたライセートを得た。次いで、軽く遠心して浮遊物を除き、上清を滅菌した別のチューブに移して、直ちに使用した。直ちに使用しない分は、−20℃で保存した。60mmプレートの培養細胞に250μLの上記ライセートを加えて、培養を続けた。なお、Adeno-X Rapid Titer Kit（製品コード 631028、タカラバイオ（株）製）に含まれる抗Hexon 抗体を用いて、このキットの取扱説明書（PT3651-1）に従い、アデノウイルスの力価を測定した。【０１２５】
（６−３）高力価ウイルス調製のためのウイルスの増幅
この力価測定を始める約24時間前に、HEK293細胞をT75フラスコに接種し、37℃、５％CO2存在下で一夜培養し、50〜70％コンフルエントになっていることを確認した。
翌日、ウイルスを含む新しい培地と交換し、MOI＝10で感染させた。37℃、５％CO2存在下で90分間培養した後にフラスコを取り出し、10mLの培地を加えた。【０１２６】
37℃、５％CO2存在下で３〜４日間培養し、CPEを確認した。50％の細胞が剥がれたところで、上記と同様にして遊離細胞懸濁液とし、15mLの滅菌済円錐遠心チューブに移した。上記と同様の凍結融解操作を行い、細胞を融解させた。Adeno-X Rapid Titer Kit（製品コード 631028）を使用し、107PFU/mLの力価を得た。ウェスタンブロッティングを行い、パッケージングされたアデノウイルスゲノムが、目的遺伝子に特異的な転写単位のコピーを、機能する形で持っているかを確認した。【０１２７】
（７）標的細胞へのアデノウイルス感染
（７−１）標的細胞への感染
感染の24時間前に6−ウェルプレートに１×106個のSHEDを接種した。接種の翌日に培地を取り除き、ウイルスを含む1.0mLの培地を各プレートの中心に添加した。この溶液をSHEDが形成した単層全体に均一に広げた。【０１２８】
37℃、５％ CO2存在下で４時間培養し、ウイルスをSHEDに感染させた。次いで、新鮮な培地を添加し、さらに、37℃、５％CO2存在下で培養した。感染24時間後〜48時間後にかけて導入遺伝子の発現を経時的に解析した。【０１２９】
（７−２）感染細胞のβ--ガラクトシダーゼ発現の解析
Adeno-X-lacZを感染させた接着性細胞におけるβ--ガラクトシダーゼの発現は、Luminescent β-galDetection Kit II（製品コード 631712、クロンテック社製）を使用してアッセイした。
【実施例２】
【０１３０】
（１）SHEDの作製
10歳の健常男児から得られた脱落乳歯を使用した。この脱落乳歯をイソジン溶液で消毒した後、歯科用ダイヤモンドポイントを用いて、歯冠を水平方向に切断し、歯科用リーマーを用いて歯髄組織を回収した。得られた歯髄組織を、３mg/mLのＩ型コラゲナーゼ及び４mg/mLのディスパーゼの溶液中で37℃にて１時間消化した。ついで、この溶液を70mmの細胞ストレーナ（Falcon社製）を用いて濾過した。【０１３１】
濾別した細胞を、４mLの上記培地に再懸濁し、直径60mmの付着性細胞培養用ディッシュに播種した。10％FCSを含有するDMEM（Dulbecco's Modified Eagle's Medium）をこのディッシュに添加し、５％CO2、37℃に調整したインキュベータにて２週間程度培養した。コロニーを形成した接着性細胞（歯髄幹細胞）を、0.05％トリプシン・0.2mM EDTAにて５分間、37℃で処理し、ディッシュから剥離した細胞を回収した。【０１３２】
次に、上記のようにして選抜した接着性細胞を、付着性細胞培養用ディッシュ（コラーゲンコートディッシュ）に播種し、５％CO2、37℃に調整したインキュベータ中にて、一次培養し初代培養細胞とした。肉眼観察でサブコンフルエント（培養容器の表面の約70％を細胞が占める状態）又はコンフルエントになったときに、0.05％トリプシン・0.2mM EDTAにて５分間、37℃で処理して細胞を培養容器から剥離して回収した。こうして得られた細胞を、再度、上記の培地を入れたディッシュに播種し、継代培養を数回行って、約1×107個/mLまで増殖させた。得られた細胞を、液体窒素中で保存した。【０１３３】
その後、一次培養細胞を上記の培地を用いて約１×104細胞/cm2濃度で継代培養した。１〜３回継代した細胞を実験に用いた。ヒトBMMSC（骨髄間葉系幹細胞、Bone Marrow Mesenchymal stem cells）はロンザ社から購入し、メーカーの取扱説明書に従って培養した。以上のようにして、ヒト脱落乳歯歯髄幹細胞（SHED）を得た。得られたSHEDを、FACSTARPLUS (ベクトン・ディキンソン社製)を用いて、各試料について、約１×106個のSTRO-1陽性細胞を以下のようにしてソートした。【０１３４】
ブロモデオキシウリジンBrdU染色キットのメーカー（Invitrogen社製）の取扱説明書に従いBrdUを12時間取り込ませ、SHEDの増殖速度を評価した（各群についてｎ＝３）。実験は５回繰り返した。１元配置分散分析後に、Tukey-Kramer検定を行い、統計的有意差を評価した。【０１３５】
STRO-1を免疫蛍光で検出するために、SHEDを３％パラホルムアルデヒドで固定し、その後PBSで２回リンスし、100 mMのグリシンで20分間処理した。次いで、これらの細胞を0.2％のTriton-X（Sigma-Aldrich社製）で30分間透過処理し、その後、５％のロバ血清及び0.5％のウシ血清アルブミンの混合物中で20分間インキュベートした。【０１３６】
次に、細胞を一次抗体のマウス抗ヒトSTRO-1抗体（1:100、R&D社製）と一緒に１時間インキュベートし、二次抗体のヤギ抗マウス免疫グロブリンM-FITC抗体（1:500、Southern Biotech社製）と一緒に30分間インキュベートし、ベクタシールドDAPI（Vector Laboratories Inc.社製）を用いてマウントした。その後、15％FBSを添加したα-MEMを6ウェルプレートに入れ、ソートした細胞をクローン作製用に播種した。増殖した細胞の中から約300コロニーを試験用にプールした。【０１３７】
（２）遺伝子の導入
上述したように、bmi-1, E6, E7及びhTERTの４つの遺伝子をアデノウイルスベクターに組み込み、これらの遺伝子産物を発現するウイルスベクターを作製した。対照として、これらの遺伝子を組み込んでいない対照ベクターを作製した。【０１３８】
SHEDを直径100mmのコラーゲンコートディッシュに１×106個を播種し、10％FBSを添加したDMEMを加えてサブコンフレントまで培養した。この培地を吸引除去して上記培地で希釈したウイルス溶液500μLを加え（MOI=10）、37℃にて、５％CO2インキュベータ中で１時間培養し、上記ウイルスベクターを感染させた。感染48時間後、感染細胞をピューロマイシン(１pg/mL)を加えた上記の培地中で10日間培養して選択し、500〜600個の耐性クローンをプールした。３〜４日ごとに約0.5×105個のSHEDを直径100mmの培養シャーレに播種し、継代した。遺伝子が導入されたSHEDをSHED-T、遺伝子が導入されないSHEDをSHED-Cとした。
【実施例３】
【０１３９】
（１）SHED-C及びSHED-Tの成長速度の測定
SHED-T（遺伝子導入をしたSHED）の個体数の倍加状態を、図５に示した。図中、縦軸は個体数倍加回数（細胞分裂回数、回）、横軸は時間（培養日数）である。また、培養中のSHEDが１ヶ月間分裂しない状態を、細胞の老化の判断基準とした。SHED-Cは30回程で増殖が停止し、老化又は増殖停止段階に入った。これに対し、SHED-Tは250PDを超え、800日経過後も増殖した。【０１４０】
（２）フローサイトメトリー分析
単一細胞の懸濁液を得るため、接着性の単層細胞をトリプシン／EDTAで消化した。２x105個の細胞に抗STRO-1モノクローナル抗体(1:100)を加えて放置し、FACSCaliburフローサイトメーター(Becton Dickinson社製)を使用して分析した。対応するアイソタイプが同一の対照抗体と比較し、99％以上の割合で蛍光レベルが高い場合に発現が陽性とした。SHED-T及びSHED-Cともに、初期及び後期の継代細胞を固定し、FITC結合STRO-1抗体で染色した。その後、フローサイトメトリーで分析した。試験はそれぞれ二回行なった。SHED-CではSTRO-1陽性細胞の割合がPD20で27％であり、PD30では15％まで減少した（図８（Ａ）及び（Ｂ））。SHED-TではSTRO-1陽性細胞の割合が、それぞれPD20で46％、PD40で41％であった（図６（Ｃ）及び（Ｄ））。【０１４１】
（３）分化能の検討
PD０、PD10及びPD20におけるSHED-C及びSHED-Tの分化能を、新生骨量の形成能及び組織染色で調べた。まず、2.0 x 106個のSHED-C又はSHED-Tを、40mgのヒドロキシアパタイト／三カルシウムリン酸（HA/TCP）セラミック粉末(オリンパス工業（株）製)に混合し、10週齢の免疫無防備状態マウス(NIH-bgnu-xid, 雌、Harlan Sprague Dawley社製)の背側表面の皮下に移植した。【０１４２】
移植８週間後に移植物を回収し、４％ホルマリンで固定して脱灰した後、パラフィン包埋するため10％EDTAを含むPBS溶液でバッファリングした。一部は、プラスチック包埋するために70％エタノール溶液中に保存した。【０１４３】
パラフィン切片を脱パラフィン化し、これを水和した後、ヘマトキシリン及びエオシン（以下、「H&E」という。）で染色した。図７（Ａ）〜（Ｃ）は、SHED-T（不死化幹細胞）のPD０〜PD20の染色像を示し、同（Ｄ）〜（Ｆ）はSHED-C（正常細胞）のPD０〜PD20の染色像を示す。生体内での新しい骨の形成を定量するため、特定の領域を選び、SHED-T移植後に形成された移植物又はSHED-C移植後に形成された移植物それぞれについて、新生骨面積と視野面積とを算出し、これらの数値から新生骨量を求めた。
新生骨量＝新生骨面積／視野面積×100【０１４４】
図８に各個体数倍加回数（倍加時間）における、SHED-TとSHED-Cとの新生骨量の変化を示した。図中、**はｐ＜0.05、***はｐ＜0.01を表す。なお、新生骨量は、以下の算出式で求めた。
図８に示されるように、SHED-Cでは個体数倍加回数が増えるについて新生骨量が減少し、PD20ではPD０の約１/５まで低下した。これに対し、SHED-Tでは、PD20まで新生骨量はほとんど変動がなく、PD20では、SHED-TはSHED-Cの５倍以上の骨を形成したことが示された。【０１４５】
（４）癌化活性の評価
SHED-C及びSHED-T細胞を、免疫無防備状態マウスの皮下組織に、１×106を個移植した。移植後、30日以上観察を行ったが、この期間中、上記の細胞を移植したいずれのマウスにおいても、腫瘍は形成されなかった。また、SHED-T細胞では、40〜200PDの培養細胞のすべてのクローンの形態に変化はなかった。以上より、SHED-Tには、癌化活性はないことが示された。【０１４６】
（５）評価
SHED-Tは、260PDを超えても分化能力を保ったまま増殖する能力を有していることが示されたが、SHED-Cは、分化能力を有するものの30PD以下で老化した。
以上から、SHED-Tは不死化細胞となっており、活性の高いSHED培養上清の大量生産に適することが示された。
【実施例４】
【０１４７】
（１）シート状小片の作成
ガラス容器中で、ヒアルロン酸に、約0.2〜４重量％のデキストランを混合し、ここに所望量の上記培養上清の凍結乾燥粉末を混合し、リザーバ層形成用材料とした。【０１４８】
ついで、市販の感光性樹脂でシートを形成させ、フォトリソグラフィ法を用いて、図２（Ａ）に示すような形状のマイクロニードルパターンを作製した。その後、電鋳加工によりこのパターンを転写して、マイクロニードル形成用の鋳型を製造した。この鋳型は、一辺を約10cm角の正方形とするか、７cmｘ15cmの矩形とした。
また、マイクロニードルを形成するための凹部は、上部直径が約0.2mm、底部直径が約0.04mm、深さが約0.8mmの円錐形状をなすようにし、格子状に配列されるようにした。この凹部は、約75個/cm2であった。【０１４９】
上記リザーバ層形成用材料に水を加えて、約10％の固形分を含む水溶液を調製し、室温にて、上記の鋳型に流し込み、水分を蒸発させて乾燥させ、その後に鋳型から剥離させて、マイクロニードルが形成されたリザーバ層を得た。
引き続き、図３（Ｃ）〜図４（Ｂ）と同様にして、シート状小片を作成した。すなわち、ベースシート２の片面に接着補助層１２を、接着剤を用いて接着させ、接着補助層１２を形成していないベースシート２の面上に、リザーバ層４を接着させた。次いで、マイクロニードル４ｎが形成されていない部分に、メッシュ状に接着層５を形成させ、極薄シートを作製した。この極薄シート上に保持部材Ｈである固定用ウレタンを重ね、図１に示すようなシート状小片とした。【０１５０】
図１８（Ａ）〜（Ｄ）に示すような、所望の大きさにカットして本発明のシート状小片を作製した。その後、このシート状小片を、所望の厚みを有する所望の大きさの金属性の板状部材、又はプラスチック製の板状部材上に設けられたシートホルダーに載置し、遮光性のフィルムに封入して、製品とした。これらの製品は、使用時まで冷蔵保存した。このシートホルダーは、上記のシート状小片の周辺部を約１mm幅で覆うような構造となっており、マイクロニードルの構造を維持するためのものである。【０１５１】
（２）発毛促進用シートの貼付
以上のようにして作製される発毛促進用シート１を、図３（Ａ）〜図４（Ｂ）に示した手順で作製した。
以上のようにして調製した発毛促進用シート１を、図１５に示すように、男性の頭部に貼付した。上記発毛促進用シート１を貼付して頭皮に密着させた後に、接着補助層をベースシートから剥がした。本実施例では、本発明の発毛促進用シートの貼付状態を見やすくするために、ヘア材を植え込んでいないベースを使用し、デジカメで撮影を行なった結果を図１６（Ａ）〜（Ｃ）に示す。【０１５２】
貼付前の頭髪の状態を図１６（Ａ）の１〜３に、貼付３〜７日後の頭髪の状態を図１６（Ｂ）の１〜３及び図１６（Ｃ）の１〜３に示す。貼付前後の頭髪の状態から明らかなように、本発明の発毛促進用シートを貼付すると、３日後に発毛が観察され、その後、経時的に発毛量が増えていることが明らかになった（図１６（Ｂ）１〜３の白い円内を参照されたい。）。特に、７日後の写真では、1箇所から複数の頭髪が伸びていることが観察された（図１６（Ｃ）３を参照されたい。）。【０１５３】
また、白髪になってきた部分に本発明の発毛促進用シートを貼付したときの状態の変化を、図１７（Ａ）に示す。（Ａ）の左側の写真は貼付開始前、右側の写真は５回の貼付を行なった約２ヶ月弱後の写真である。脱毛していた部分には、貼付前には白髪だけであったが、発毛量の増加と、黒い髪の毛が生えてきていることが確認された。【０１５４】
脱毛した部分に本発明の発毛促進用シートを貼付したときの状態の変化を、図１７（Ｂ）に示す。（Ｂ）の左側の写真は貼付前、（Ｂ）の右側の写真は５回の貼付を行なった約２ヶ月弱後の写真である。脱毛していた部分には、貼付前には白髪の毛がわずかに残っていたが、発毛量が明らかに増えており、また、黒い髪の毛が生えてきていることが確認された。【０１５５】
以上より、本発明の発毛促進用シートを貼付した部位では、頭髪の正常な成長が促進されることが確認された。
【産業上の利用可能性】
【０１５６】
本発明は、美容の領域において極めて有用である。
【符号の説明】
【０１５７】
１    シート状小片
２    ベースシート
４      リザーバ層
５      接着層
６      人工毛髪（ヘア材）
６ａ    根部（植込部）
６ｂ    自由端部
８      固定部
１０    発毛促進用シート
１２    接着補助層
１５    案内針
Ｈ      保持部材
【図１】
2016175164.tif 000008
【図２】
2016175164.tif 000009
【図３】
2016175164.tif 000010
【図４】
2016175164.tif 000011
【図５】
2016175164.tif 000012
【図６】
2016175164.tif 000013
【図７】
2016175164.tif 000014
【図８】
2016175164.tif 000015
【図９】
2016175164.tif 000016
【図１０】
2016175164.tif 000017
【図１１】
2016175164.tif 000018
【図１２】
2016175164.tif 000019
【図１３】
2016175164.tif 000020
【図１４】
2016175164.tif 000021
【図１５】
2016175164.tif 000022
【図１６】
2016175164.tif 000023
【図１７】
2016175164.tif 000024
【図１８】
2016175164.tif 000025
【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
弾性材料からなるベースシートと；
生理活性物質を含有し、かつ、前記ベースシート側とは反対方向に延びる複数のマイクロニードルが形成され、前記ベースシートの一方側の表面上に設けられたリザーバ層と；
前記リザーバ層の前記ベースシート側とは反対側の表面上にメッシュ状に形成される接着層と；
前記リザーバ層が形成されている面と反対側の前記ベースシートの面上に剥離可能に形成された接着補助層と；を備え、
前記マイクロニードルの先端部は、前記接着層から突出しており、
前記接着補助層は、スポンジ状部材で構成されている、
ことを特徴とするシート状小片。
【請求項２】
前記弾性材料は、透湿性を有する厚み０．１ｍｍ未満の半透明合成樹脂で構成されている、ことを特徴とする請求項１に記載のシート状小片。
【請求項３】
前記リザーバ層は、水溶性高分子と単糖類又は二糖類との混合物、及び、前記生理活性物質の混合物を含むことを特徴とする、請求項１に記載のシート状小片。
【請求項４】
前記水溶性高分子は、コラーゲン、ゼラチン、ヒアルロン酸、デキストリン、デキストラン、プロテオグリカン、コンドロイチン硫酸ナトリウム、カルボキシメチルセルロース、ヒドロキシエチルセルロースヒアルロン酸、及びそれらの生理学的に許容される塩からなる群から選ばれる少なくともいずれかである、ことを特徴とする請求項３に記載のシート状小片。
【請求項５】
前記単糖類又は二糖類は、グルコース、フルクトース、スクロース、ラクトース、トレハロース及びこれらの２以上の混合物からなる群から選ばれるいずれかである、ことを特徴とする請求項３に記載のシート状小片。
【請求項６】
前記生理活性物質は、歯髄幹細胞の培養上清中に含まれるものである、ことを特徴とする請求項３に記載のシート状小片。
【請求項７】
前記歯髄幹細胞の培養上清は凍結乾燥粉末である、ことを特徴とする請求項６に記載のシート状小片。
【請求項８】
前記歯髄幹細胞は、（ｉ）ｂｍｉ−１、ＨＰＶ−Ｅ６及びＨＰＶ−Ｅ７からなる群から選ばれる少なくとも１種以上の遺伝子と、（ｉｉ）ｈＴＥＲＴ又はｐＴＥＲＴのいずれかの遺伝子との組み合わせを導入した不死化細胞である、ことを特徴とする請求項６に記載のシート状小片。
【請求項９】
前記歯髄幹細胞は、ヒト又はブタ由来である、ことを特徴とする請求項６に記載のシート状小片。
【請求項１０】
前記接着層は、医療用シリコン系接着剤で形成されている、ことを特徴とする請求項１に記載のシート状小片。
【請求項１１】
（削除）
【請求項１２】
前記スポンジ状部材は、ウレタン、シリコン、パルプ紙、スチロール、ビニール、及び布からなる群から選ばれる素材で構成されている、ことを特徴とする請求項１に記載のシート状小片。
【請求項１３】
前記リザーバ層が形成されている面と反対側の前記接着層の面上に剥離可能に配置され、枠型形状を有する保持部材をさらに備え、
前記保持部材は、前記接着層から突出しているマイクロニードルの先端部の高さよりも長い厚みを有する、ことを特徴とする請求項１に記載のシート状小片。
【請求項１４】
前記保持部材は、プラスチック製又は金属製シート状部材である、ことを特徴とする請求項１３に記載のシート状小片。
【請求項１５】
前記金属製シート状部材は、アルミ製である、ことを特徴とする請求項１４に記載のシート状小片。
【請求項１６】
発毛促進用シートにおいて、
請求項１〜１５のいずれかに記載のシート状小片を備える、
ことを特徴とする発毛促進用シート。
【請求項１７】
前記シート状小片が備えるベースシートに所定の密度で植え込まれた人工毛髪を更に備える、ことを特徴とする請求項１６に記載の発毛促進用シート。
【請求項１８】
前記人工毛髪は、紫外線硬化性の樹脂により、前記ベースシートに固定されている、ことを特徴とする請求項１７に記載の発毛促進用シート。
【請求項１９】
前記ベースシートの底面積が、指頭の表面積と同等の面積となっている、ことを特徴とする請求項１７に記載の発毛促進用シート。
【請求項２０】
請求項７に記載のシート状小片を含む美白及び皺改善剤であって、
前記シート状小片が備えるリザーバ層が、凍結乾燥培養上清を有する、美白及び皺改善剤。
【国際調査報告】
2016175164.tif 000026
2016175164.tif 000027
2016175164.tif 000028
2016175164.tif 000029